(57)【要約】【課題】  老若を問わず誰でもが家庭内で、いつでも、又思考力、体力が衰えた高齢者、寝たきり老人にも、簡単で費用のかからない外面、内面、両面からの血行促進による健体、健脳、健肌法がないかを課題として研究をすすめた。【解決手段】  風呂に入る等、外面からの血行促進を図るためには、部分肌に温感知を与える事である、又、内面からの血行促進は、脳の特殊で高等な機能を利用して温感知時にて急変的に氷温を感知させる事で随時可能となるのであり、温感用として、マスクＩ、を使用してレンジにてすぐ顔肌用温マスクが用意でき、氷感用としてマスク２、を使用して冷蔵庫にて氷感用顔肌マスクが用意でき、これを交互に肌感知させること（温感５分、氷感３０秒程度）を適度に日々継続的に行なう事により、健体、健脳、健肌効果を得ることができる。【選択図】図１
2008194438.tif 000002
【特許請求の範囲】
【請求項１】
この製品の構造特性により顔肌を５分程度温感感知後、瞬間変化にて氷感を短時間（２０〜３０秒）感知させ、反復使用する事により内面、外面、両面から血行促進を図り、肌皮と脳の活性化を促す、温感、氷感、瞬間変化、感知、反復使用、同使用法。
【請求項２】
レンジと冷蔵庫冷凍室を使用して、温感と氷感を交互に顔肌に感知させる温用厚型３層。冷用薄型１層、一体形態を有する多層式タオルマスク。
【発明の詳細な説明】
【技術分野】
【０００１】  本発明はどこの家庭でもあるレンジと冷蔵庫と冷凍室を利用して顔肌皮そのものの弾力性を増加し、化粧品成分の角質内浸透効果を高め肌の老化を予防し、同時に脳機能の活性化を促進させる、誰でもが家庭内にて簡単に行えるタオル顔肌マスクとその使用法に関するものである。
【背景技術】
【０００２】  美容面における従来の顔当てタオルは床屋さん等で行なう温タオル中心であり、又、顔肌に施す化粧パックも温感効果による成分浸透を目的としたものでもあり、又、たたく、こする、マッサージする事等も、温効果による外面からの一面性血行促進、肌皮活性法である。
【発明の開示】
【発明が解決しようとする課題】
【０００３】  本発明は、温感中心による外面血行促進行為中心による、その行為後の肌皮毛穴の自然閉塞および、脳の通常感知行為を是正するため、どうすればよいかを課題として研究を進めた。
【課題を解決するための手段】
【０００４】  人体の筋肉等は自分の意思で運動する事で強化できるが、肌皮（毛穴）に関しては一定の条件を必要とします。たたく、こする、温熱を当てる事により、毛穴が十分ひらいたあと、一気に閉じさす事である。この結果肌皮（毛穴）そのものの強制運動となり、同時に脳に対しては環境急変に伴う体温維持のため伝達指令を促し内面からの緊急血行促進作用を生み出すのである。すなわち人体肌に対して、温感直後に瞬時に氷温を感じさせる事なのです。この際瞬間変化が必須なのは、時間があけば感知温度も下がり、毛穴も自然閉塞に向かい温度差も少なくなり脳への緊急指令が発生しにくくなるからです。
【発明の効果】
【０００５】  本発明は以上の様な構成により、どこの家庭にもあるレンジ、冷蔵庫を利用する事により、老若を問わず誰でもが簡単に内面、外面、両面による血行促進健美健脳法が家庭内で、テレビを見ながら、本を読みながら行え、寝たきり老人等にとっても大変有効な健康促進法である。又、寒中水泳等は高齢者、心臓の弱い人等は危険が伴い、エステ、サウナ、温泉等は設備、費用、時間が必要となり、簡単に毎日とはいかないが、本発明品の使用により家庭内で誰でもが安全で廉価にて美肌、健体、健脳促進行為を継続的に簡単に行なえ、したがって健脳、健常者にとっては頭脳の明晰化をもたらし、思考力の衰えた高齢者、寝たきり老人にとっては、アルツハイマー予防効果をもたらすのである。
【発明の実施するための最良の形態】
【０００６】  本発明は以上の様な構成により、はじめに顔肌に温用タオルマスクを当て、毛穴を十分に開いて成分浸透等、化粧効果を持たせた後、瞬間変化により、氷温を感じさせ、再び温感を感じさせた、この肌皮に関しては毛穴が十分に開いた後、強制的に一気に閉じ、ひらいて閉じ、ひらいて閉じの毛穴の強制運動を起こさせ、化粧成分については毛穴が開いている時十分浸透したのが表面の毛穴が一気に閉じた時、内面部の血行が一気に促進するため、より角質内の浸透効果を高めるのです。したがって肌皮同様に化粧効果も高められる事になる。
【０００６】  又、脳に対してもその指令機能特性により、人体肌感知温度が高い時は、血流の流れをゆるやかにし、毛穴を開く等の放熱作用を行い、逆に氷感感知の時には、体温維持のため毛穴を一気に閉じ内面からの一気の血行促進を図る様、脳内各細胞間の情報伝達が図られるのです。
【０００７】  氷感時の急速内面血行促進作用が起こる事、それを我々が単純に認知できる一例として氷水、アイスキャンディー等を一気に食したとき、頭がズキンとなる、これなどは脳内血管が一気に血行促進を起こし、血管を伸縮させ、結果周辺の神経を圧迫して、ひどい頭痛を感じるのです。こうした氷感感知行為も適度であり、一定の継続性を持つ事で血管の伸縮運動となり、血管そのものの強化につながり、脳梗塞等の予防になるのです。脳梗塞発症患者に対して、口の中に氷を入れて、氷感を与え脳細胞の活性化を図るリハビリ等も、氷感感知による脳系刺激、活性法の一環であり、熱い・冷たい・痛い等は単純明快な脳細胞への活性法であり、特に短時間の温度差の大きい氷感感知行為は怪我する事のない大変有効な脳への刺激手段である。この結果、熱い冷たいという明確で顕著な刺激が脳の神経細胞間の情報伝達を活性化させるため、アルツハイマー発症の因といわれているタンパク系物質、βアミロイドの増加を抑制し、情報伝達に必要なグルタミン酸の減少を抑え、思考力が衰えた高齢者やねたきりになり運動や筋力を使わなくなったアルツハイマーや強度の健忘症にかかりやすい人々にとっての予防、防止効果をもたらすのである。
【実施例】
【０００８】  最初は多属式のタオルマスクに遠赤保温、殺菌効果を有する竹炭粉を入れ使用してみた、これだと重量的に軽く肌への密着性も弱く外気温や体温にすぐ呼応するため、保温効果も弱く、又、温効果の後冷凍庫に入れ氷温を作り出すのに１０分以上もかかってしまうので毛穴も自然閉塞して、意図する効果が得られない。そこで接肌部１層目タオル地を氷感専用とし分離してみた、すると少量の水を吹きかけ冷凍庫に入れ試したら５分もしないうちタオル地表面部が氷温（０℃）まで下がる事が分かった、又、多属式温マスクも重量と保温性をもたせるため２層目に火山岩粒石を入れ、レンジ対応の為内部にも吸水性を持たせる為、木チップもいれ、３層目外面生地の裏地に防水、保温生地の重ね縫いを施した。この結果、温感保温、温パック効果と同様に氷温効果も十分得る事が出来た。又、脱着一体化を図る為、温感用、冷感用夫々に部分部分に薄型円型フェライト磁石を取り付けさらに血行維持をもたらす効果もえられた。【０００９】  又、氷温感知も冷用薄型は保冷性を持たせないため、体温や外気温にすぐ呼応して、氷感感知時間も１０秒程度になるよう構成できた。もし氷感感知時間が長いと血行の退化を招き、肌に必要な成分セラミド等の有効成分の減少にもつながる事になるので、こういった点も解消できた。こうした構造上の特性をもつ本発明品は氷感に関してはほんの数秒にて冷感に変わり、３０〜４０秒後には体温と同化するようになっており、温感に関しては真冬でも体温と呼応して４０℃超を１０分程度維持する特性をもつものである。【００１０】  一般的に冷感、温感健康法として古来より寒中水泳、乾布摩擦等、又近年エステサロンにおける冷却空気（−２０℃）を部分肌に当て内面血行促進による腱美法、サウナにおいては冷蔵室を設ける等々、又サウナ、温泉での温風呂、水風呂を一定時間交互に入る事により自律神経失調を改善すると医学的にも認められている事案であり、例えは悪いが昔からスリの名人、指先職人等は熱いお湯と氷水に交互につけて鍛錬したといわれている、又、長い立ち仕事等で足に疲れ、痛みがある時に湯につかる事やマッサージをする事で楽にはなるが、これが４３℃の湯と氷を入れた３℃の水（温度差４０℃）ふたつの桶を用意してひざ下２０ｃｍくらいまでつかるようお湯に３分、水に３０秒を繰り返し５回やってみた所、主婦中心の６５人中６２人までが疲れの取れ方が早い、痛みが早く抜けるの回答を得た、又、科学的見地（サーモグラフィー）からも氷感を併用したときのほうが赤色部分（体温上昇）が上部周辺にまで伸びている事が判明している。
【図面の簡単な説明】
【００１１】
【図１】  多属式温マスクの断面図
【図２】  冷用薄型タオルマスクの外観図
【００１２】  １  防水保温生地    ２  火山岩粒石    ３  木チップ    ４  竹炭粉
５  タオル地    ６  薄型円型フェライト磁石
【図１】
2008194438.tif 000003
【図２】
2008194438.tif 000004